(57)【特許請求の範囲】
【請求項１】
把持可能な把持部本体が形成されたハウジングと、把持部本体から外部に突出したスイッチトリガーとを備え、把持部本体を縦断する縦方向にスイッチトリガーを引き込み操作することで動力源が作動するように構成された手持ち式動力工具において、ハウジングから外部に突出して把持部本体を横断する横方向に押し操作可能な操作部が形成されるとともに、ハウジング内部で横方向に移動可能に設けられたロック部材を備え、ハウジングには、把持部本体から外部に突出したスイッチトリガーに対向する対向部が形成され、スイッチトリガー及びロック部材のそれぞれには、互いに対向して当接可能な平面状の当接面が形成され、引き込み操作されたスイッチトリガーは、対向部側に移動可能に設けられ、前記対向部には、引き込み操作されたスイッチトリガーと対応する位置にスイッチトリガー側に突出した係止部が形成され、対向部側に移動したスイッチトリガーが係止部に係止可能とされていることを特徴とする手持ち式動力工具。
【請求項２】
前記スイッチトリガーには、指がかけられる二つの面が直交方向に形成され、一方の面は、把持部本体に向けて押されることで、スイッチトリガーを把持部本体内に向けて移動させる引き込み操作のための面とされ、他方の面は、対向部に向けて押されることで、引き込み操作されたスイッチトリガーを係止部に係止するための面とされていることを特徴とする請求項１に記載の手持ち式電動工具。
【請求項３】
前記ロック部材を横方向に付勢する付勢手段を更に備え、前記ロック部材は、付勢手段によって付勢された状態で当接面が外部に突出したスイッチトリガーの当接面に当接可能な配置に位置決めされるように構成されている請求項１又は２に記載の手持ち式動力工具。
【請求項４】
前記スイッチトリガーは、把持部本体側にある基端側を支点にして対向部側に傾動可能に設けられ、引き込み操作したスイッチトリガーを対向部側に傾動させることで、スイッチトリガーの先端側が基端側よりも対向部側に移動し、該先端側が係止部に係止されるように構成されている請求項１ないし３のいずれか一項に記載の手持ち式動力工具。
【発明の詳細な説明】
【技術分野】
【０００１】
本発明は、動力源からの動力によって鋸刃やドリル等の先端工具を動作させる動力工具に関し、特には、作業者が把持した状態で作業を行う手持ち式動力工具に関する。
【背景技術】
【０００２】
従来から、電動モータやエアーモータ等の動力源からの動力によって先端工具を動作させる動力工具として種々のものが提供されており、その一つとして、作業者が把持した状態で作業を行う手持ち式動力工具が提供されている。
【０００３】
かかる手持ち式動力工具は、把持可能な把持部本体が形成されたハウジングと、把持部本体から外部に突出したスイッチトリガーとを備え、把持部本体を縦断する縦方向にスイッチトリガーを引き込み操作することで動力源が作動するようになっている。これにより、手持ち式動力工具は、動力源からの動力によって先端工具（例えば、鋸刃やドリル）を直線動作或いは回転動作させるようになっている。
【０００４】
そして、この種の手持ち式動力工具には、スイッチトリガーが不用意に引き込み操作されない（動力源を作動させない）ようにしたオフロック機構と、スイッチトリガーを引き込み操作した状態で維持させる（動力源を作動させた状態で維持させる）ようにしたオンロック機構とを備えたものが提供されている（例えば、特許文献１参照）。
【０００５】
かかる手持ち式動力工具は、図１０に示す如く、ハウジングＨの把持部本体５０を横断する横方向に移動可能なロック部材５０１が設けられるとともに、スイッチトリガー５００に、間隔をあけて互いに対向した第一壁部５０２ａと第二壁部５０２ｂが設けられており、該第一壁部５０２ａ及び第二壁部５０２ｂには、ロック部材５０１を挿通する穴（以下、第一壁部５０２ａの穴を第一穴といい、第二壁部５０２ｂの穴を第二穴という）５０３ａ，５０３ｂが設けられている。そして、ロック部材５０１は、軸状に形成されており、その軸心方向に大径部５０１ａと小径部５０１ｂとが並んで形成されている。そして、第一穴５０３ａ及び第二穴５０３ｂは、大径部５０１ａを嵌め込むことのできる大きさに設定されるとともに、スイッチトリガー５００の引き込み方向（縦方向）で互いに偏心するように配置されている。なお、図１０に示す第一穴５０３ａは、大径部５０１ａが第二穴５０３ｂに嵌り込んだときに、挿通状態になる小径部５０１ｂとの干渉を防止すべく、凹状の逃がし部（採番しない）がスイッチトリガー５００の引き込み方向の対応する部分に形成されている。
【０００６】
これにより、上記構成の手持ち式動力工具は、第一穴５０３ａに大径部５０１ａが嵌め込まれると、スイッチトリガー５００の引き込み操作が規制される（オフロックされる）。これに対し、ロック部材５０１を横方向に移動させ、第一穴５０３ａから抜けた大径部５０１ａが第一壁部５０２ａと第二壁部５０２ｂとの間に位置し、第一穴５０３ａに小径部５０１ｂが位置すると、スイッチトリガー５００の引き込み操作が許容される。そして、ロック部材５０１をさらに横方向に移動させ、第一穴５０３ａに対して偏心した第二穴５０３ｂに大径部５０１ａが嵌め込まれると、スイッチトリガー５００が引き込み操作した状態（オンロック状態）で維持する。
【０００７】
これにより、上記構成の手持ち式動力工具は、スイッチトリガー５００をオフロックすることで、不用意に動力源が作動するのを防止することができ、また、スイッチトリガー５００をオンロックすることで、作業者によるスイッチトリガー５００の引き込み操作を省略して動力源を作動し続けることができるため、作業者に対する安全性を高めた上で作業者の作業負担を軽減できるものとなっている。
【特許文献１】特開平９−１２０７５０号公報
【発明の開示】
【発明が解決しようとする課題】
【０００８】
ところで、上記構成の手持ち式動力工具は、ロック部材５００を横方向に移動させることで、間隔をあけて設けられた第一壁部５０２ａの第一穴５０３ａと第二壁部５０２ｂの第二穴５０３ｂに大径部５０１ａに嵌め込むように構成されているため、ロック部材５００の移動量が大きくなってしまう。そのため、外部から押し操作するために把持部本体５０から突出させたロック部材５００の突出量が大きくなる結果、ロック部材５００に何らかのものが当たる可能性が大きくなり、ロック部材５００が不用意に横方向に押されてオフロックが解除されてしまう虞がある。
【０００９】
また、単一なロック部材５００を横方向に移動させることで、オフロックとオンロックとに切り替わるようになっているため、ロック部材５００の押し量によっては作業者の意思に反してオンロックされた状態になる虞もある。
【００１０】
そこで、本発明は、斯かる実情に鑑み、不用意にスイッチトリガーのオフロックが解除されたりスイッチトリガーがオンロックされたりするのを抑制することができ、作業者の意思に応じて円滑且つ迅速にスイッチトリガーをオンロック及びオフロックすることのできる手持ち式動力工具を提供することを課題とする。
【課題を解決するための手段】
【００１１】
本発明に係る手持ち式動力工具は、把持可能な把持部本体が形成されたハウジングと、把持部本体から外部に突出したスイッチトリガーとを備え、把持部本体を縦断する縦方向にスイッチトリガーを引き込み操作することで動力源が作動するように構成された手持ち式動力工具において、ハウジングから外部に突出して把持部本体を横断する横方向に押し操作可能な操作部が形成されるとともに、ハウジング内部で横方向に移動可能に設けられたロック部材を備え、ハウジングには、把持部本体から外部に突出したスイッチトリガーに対向する対向部が形成され、スイッチトリガー及びロック部材のそれぞれには、互いに対向して当接可能な平面状の当接面が形成され、引き込み操作されたスイッチトリガーは、対向部側に移動可能に設けられ、前記対向部には、引き込み操作されたスイッチトリガーと対応する位置にスイッチトリガー側に突出した係止部が形成され、対向部側に移動したスイッチトリガーが係止部に係止可能とされていることを特徴とする。
この場合において、前記スイッチトリガーには、指がかけられる二つの面が直交方向に形成され、一方の面は、把持部本体に向けて押されることで、スイッチトリガーを把持部本体内に向けて移動させる引き込み操作のための面とされ、他方の面は、対向部に向けて押されることで、引き込み操作されたスイッチトリガーを係止部に係止するための面とされていることが好ましい。
【００１２】
上記構成の手持ち式動力工具によれば、ロック部材及びスイッチトリガーに形成された平面状の当接部が当接することで、ハウジング内に設けられたロック部材がスイッチトリガーの移動を規制する。これにより、スイッチトリガーの不用意な引き込み操作が確実に防止される。これに対し、ロック部材を押し操作して横方向に移動させると、対向していた二つの当接面が相対的に横方向に移動して互いにずれた配置になり、当接面同士の当接可能な状態が解除されてスイッチトリガーの引き込み操作が許容される。
【００１３】
そして、引き込み操作したスイッチトリガーを対向部側に移動させると、スイッチトリガーが対向部（係止部）側に寄ることになり、スイッチトリガー側に突出した係止部にスイッチトリガーが係止可能な状態となる。これにより、作業者による引き込み操作が解除されても、スイッチトリガーが引き込み操作された状態と同様の状態で維持する結果、動力源を作動させ続けることができる。これに対し、スイッチトリガーを対向部から離間する方向に移動させると、係止部によるスイッチトリガーの係止が解除された状態となる。
【００１４】
以上のように、上記構成の手持ち式動力工具は、スイッチトリガー及びロック部材の当接面が横方向にずれた配置になることでスイッチトリガーのオフロック（引き込み操作の禁止）を解除できるため、ロック部材の横方向の移動量を大きくする必要がない。これにより、把持部本体から突出するロック部材（操作部）の突出量を小さくすることができ、不用意に操作部が押されてオフロックが解除されるのを抑制することができる。また、ロック部材に対する操作とは別にスイッチトリガーを対向部に向けて移動させることでオンロック（スイッチトリガーの引き込み状態を維持）できるので、オフロックの解除とオンロックとが連続した操作にならず、不用意にオンロックされるのを抑制することができる。また、スイッチトリガーに対する操作でオンロックできるため、必要に応じて円滑且つ迅速にオンロック及びその解除を行うことができる。
【００１５】
本発明の一態様として、前記ロック部材を横方向に付勢する付勢手段を更に備え、前記ロック部材は、付勢手段によって付勢された状態で当接面が外部に突出したスイッチトリガーの当接面に当接可能な配置に位置決めされるように構成されていることが好ましい。このようにすれば、スイッチトリガーが引き込み操作した状態から常態に戻ったときに、付勢手段による付勢でロック部材が横方向に移動して当接面同士が当接可能な状態、すなわち、スイッチトリガーの引き込み操作を規制した状態に自動的に戻すことができる。
【００１６】
本発明の他態様として、前記スイッチトリガーは、把持部本体側にある基端側を支点にして対向部側に傾動可能に設けられ、引き込み操作したスイッチトリガーを対向部側に傾動させることで、スイッチトリガーの先端側が基端側よりも対向部側に移動し、該先端側が係止部に係止されるように構成されていることが好ましい。このようにすれば、スイッチトリガー全体を対向部に向けて移動させることなく、動力源を作動させ続ける状態にすることができる。
【発明の効果】
【００１７】
本発明に係る手持ち式動力工具によれば、不用意にスイッチトリガーのオフロックが解除されたりスイッチトリガーがオンロックされたりするのを抑制することができ、作業者の意思に応じて円滑且つ迅速にスイッチトリガーをオンロック及びオフロックすることができるという優れた効果を奏し得る。
【発明を実施するための最良の形態】
【００１８】
以下、本発明の一実施形態に係る手持ち式動力工具について、添付図面を参照しつつ説明する。なお、手持ち式動力工具には、グラインダー、ドリル、丸鋸、チェーンソー等といった種々のものがあるが、本実施形態においては、帯板状の鋸刃を先端工具として動作させる動力鋸（いわゆる、レシプロソー）を一例に説明することとする。
【００１９】
本実施形態に係るレシプロソーは、図１に示す如く、把持可能な把持部本体２０が形成されたハウジングＨと、把持部本体２０から外部に突出したスイッチトリガー２１とを備えており、把持部本体２０を把持した手（指）でスイッチトリガー２１を引き込み操作することで鋸刃Ｃを動作させるための動力源（図示しない）が作動するように構成されている。具体的に説明すると、レシプロソーＴは、前記動力源を有する駆動部１と、作業時に把持される把持部２と、動力源からの動力を受けて先端工具（鋸刃）Ｃを動作させる作動部３とを備えている。
【００２０】
本実施形態に係るレシプロソーＴは、駆動部１、把持部２、及び作動部３がほぼ一列をなしており、一方向に長手をなして長手方向の一端から他端に向けて、駆動部１、把持部２、作動部３の順に配列されている。そして、駆動部１、把持部２、及び作動部３は、共通のハウジングＨで一体的に形成されている。
【００２１】
本実施形態に係る駆動部１は、前記動力源と、該動力源を内装する動力カバー１０とを備えている。前記動力源には、エアーモータや電動モータを採用することができ、本実施形態においては、電動モータが採用されている。動力源の出力軸には、作動部３（後述する作動機構）に向けて延びる回転軸１１が連結されている（図２参照）。
【００２２】
前記動力カバー１０は、前記ハウジングＨの一部で構成される。すなわち、長手をなすハウジングＨの一端側の部分が動力カバー１０を構成している。なお、ハウジングＨは、一方向で長手に延びる二つの分割ハウジングＨａ，Ｈｂを合わせることで形成されており、内部が空洞になっている。
【００２３】
前記把持部２は、駆動部１及び作動部３が直接的又は間接的に連結されるとともに作業者が把持可能に形成された把持部本体２０と、該把持部本体２０を縦断する縦方向（以下、第一方向という）Ｙに移動可能に構成されるとともに、常態で把持部本体２０内からの付勢によって該把持部本体２０の外面から外部に突出した状態を維持するように構成されたスイッチトリガー２１とを備えている。なお、「把持部本体２０を縦断する縦方向」とは、作業状態（把持部本体２０を把持した状態）を基準にした上下方向を意味する。すなわち、把持部本体２０の中心線と交差する方向であって、作業者が把持部本体２０を手で把持した際の把持領域における握り中心となる中心線（把持中心線）と交差する上下方向を意味する。
【００２４】
前記把持部本体２０は、ハウジングＨの長手方向の中央部で構成されている。すなわち、本実施形態に係る把持部本体２０は、一端に駆動部１（動力カバー１０）が連設され、他端に作動部３（後述する作動カバー３３）が連設されている。
【００２５】
そして、該把持部本体２０は、図２に示す如く、内部が空洞になっており、動力源に接続された回転軸１１が駆動部１と作動部３とに跨るように挿通されている。従って、本実施形態に係る把持部本体２０においては、把持部本体２０の空洞内で駆動部１側から作動部３側に延びる仮想線（図示しない）が把持中心線となる。
【００２６】
そして、把持部本体２０内には、動力源の作動と停止とを切り換えるためのスイッチ２２と、把持部本体２０を横断する横方向（以下、第二方向という。図３参照）Ｘに移動可能なロック部材２３とが設けられている。なお、ここで「把持部本体２０を横断する横方向」とは、作業状態（把持部本体２０を把持した状態）を基準にした左右横方向を意味する。すなわち、把持部本体２０の中心線の延びる方向から見て第一方向Ｙと交差する方向を意味する。
【００２７】
本実施形態に係るスイッチ２２は、動力源に電動モータが採用されているため、電動モータに対する電力供給とその停止とを切換可能に構成された電源スイッチが採用されている。
【００２８】
かかる電源スイッチ２２は、電気回路を開閉する（電動モータに対する電力供給のＯＮ／ＯＦＦを切り換える）ための接点機構（図示しない）が内装されたスイッチ本体２２０と、前記接点機構の電気回路を開閉させるための操作体２２１とを備えている。
【００２９】
該操作体２２１は、スイッチ本体２２０内から外部に向けて延びており、該延出方向に移動可能に設けられている。また、該操作体２２１は、スイッチ本体２２０内に設けられた弾性体（例えば、コイルバネ：図示しない）によって外部に向けて付勢されており、常態において外部に向けて延出し、先端部がスイッチ本体２２０に向けて押されたときに、弾性体の弾性力に抗してスイッチ本体２２０に進入するようになっている。そして、該電源スイッチ２２は、操作体２２１が外部に向けて延出した状態で、接点機構の電源回路が開（ＯＦＦ）になり、操作体２２１がスイッチ本体２２０内に進入した状態で接点機構の電源回路が閉（ＯＮ）になるようになっている。
【００３０】
そして、該電源スイッチ２２は、スイッチトリガー２１の移動方向（第一方向Ｙ）に操作体２２１の移動方向を合わせた状態で、該操作体２２１がスイッチトリガー２１と対向するように配置され、スイッチトリガー２１が操作されたときに操作体２２１が押されてスイッチ本体２２０内に進入する（電気回路をＯＮにする）ようになっている。
【００３１】
そして、本実施形態においては、電源スイッチ２２の操作体２２１の先端部には、スイッチトリガー２１を傾動可能にするための傾動支点部材２４が取り付けられている。該傾動支点部材２４は、操作体２２１に嵌着された部材本体２４０と、部材本体２４０のスイッチトリガー２１と対向する面に該スイッチトリガー２１に向けて突設されたピボット２４１とを備えている。
【００３２】
該スイッチトリガー２１は、把持部本体２０に形成された開口（採番しない）に遊嵌されており、前記第一方向Ｙに移動自在に設けられている。本実施形態に係るスイッチトリガー２１は、把持部２と作動部３との境界に隣接するように配置されている。ここでスイッチトリガー２１の構成について具体的に説明すると、本実施形態に係るスイッチトリガー２１は、外観ブロック状をなすトリガー本体２１０と、トリガー本体２１０から延出した延出部２１１とを備えており、延出部２１１を把持部本体２０よりも外部に位置させるようにしてトリガー本体２１０が把持部本体２０に形成された矩形状の開口に遊嵌されている。
【００３３】
前記延出部２１１は、トリガー本体２１０の外周を画定する四つの面のうちの一つの面側に変位した配置で設けられている。なお、以下の説明において、四つの面のうちの前記一つ面を第一面２１０ａといい、該第一面２１０ａと反対側の面を第二面２１０ｂということとする。そして、延出部２１１は、トリガー本体２１０の第一面２１０ａと外面を連続させて形成されている。前記第一面２１０ａ及び操作体２２１の外面は、それぞれ平面をなしており、これによってトリガー本体２１０には、第二面２１０ｂの反対側に該第二面２１０ｂよりも広く、第一方向Ｙの長手をなす平面状の壁面２１ａが形成されている。そして、本実施形態に係るスイッチトリガー２１は、前記壁面２１ａを作動部３側に向けて配置され、トリガー本体２１０に指をかけることができるようになっている。
【００３４】
そして、スイッチトリガー２１（トリガー本体２１０）は、把持部本体２０内に基端部が位置しており、該基端部に把持部本体２０の開口周縁部の内面に係止される抜止体２１２が連設されている。本実施形態に係るスイッチトリガー２１は、抜止体２１２がトリガー本体２１０の第二面２１０ｂ側に設けられており、作動部３とは反対側の部位で抜け止めを図るようになっている。
【００３５】
本実施形態に係るスイッチトリガー２１は、スイッチ本体２２０内に内装されたバネの付勢力によって、スイッチ２２の操作体２２１を介して付勢されており、常態において把持部本体２０の外面から外部に突出した状態になっている。本実施形態に係るスイッチトリガー２１は、スイッチ２２と対向する部位にスイッチ２２の操作体２２１に取り付けられた傾動支点部材２４を内装する凹部２１３が形成されている。本実施形態に係るスイッチトリガー２１は、トリガー本体２１０の外周が四角形状に枠組みされた四つの壁部で画定されており、その外面が上述の四つの面（第一面２１０ａ、第二面２１０ｂ及び残りの二面）を形成している。これに対応して、本実施形態に係るスイッチトリガー２１には、スイッチ２２に向けて開口した矩形状の凹部２１３が形成されている。
【００３６】
該凹部２１３は、前記傾動支点部材２４よりも大きなサイズになっており、傾動支点部材２４を内装した状態で、第一面２１０ａ側又は第二面２１０ｂ側に隙間があくようになっている。本実施形態においては、凹部２１３に内装された傾動支点部材２４は、第一面２１０ａ側に偏った位置に配置されるようになっており、第二面２１０ｂ側に形成される空間内に後述する第一規制部２１４が設けられている。また、凹部２１３は、傾動支点部材２４を内装した状態で、傾動支点部材２４のピボット２４１が点あたりするように奥部の面が形成されている。これにより、本実施形態に係るスイッチトリガー２１は、ピボット２４１を支点にして壁面２１ａ側（後述する対向部３０）側に傾動可能となっている。すなわち、本実施形態に係るスイッチトリガー２１は、把持部本体２０側にある基端側を支点にして対向部３０側に傾動可能に設けられており、把持部本体２０内に向けて移動させた状態で対向部３０側に傾動させることで、把持部本体２０から外側に突出する先端側が基端側よりも対向部３０側に移動するようになっている。
【００３７】
スイッチトリガー２１及びロック部材２３のそれぞれは、図２に加えて図３（ａ）及び図３（ｂ）に示す如く、互いに対向して当接可能な規制部２１４，２３０が設けられるとともに、規制部２１４，２３０に対して前記第二方向Ｘで変位した位置で相手方の規制部２１４，２３０の前記第一方向Ｙでの移動を許容可能に構成されている。なお、以下の説明において、スイッチトリガー２１の規制部２１４を第一規制部といい、ロック部材２３の規制部２３０を第二規制部ということとする。
【００３８】
第一規制部２１４は、板状に形成されており第一方向Ｙに沿って設けられている。本実施形態においては、前記トリガー本体２１０の凹部２１３内に設けられており、トリガー本体２１０の第二面２１０ｂを形成する壁部の内面に一端が接続されており、壁部に接続された一端と交差する方向に延びて把持部本体２０内部側に向く端面が後述する第二当接面２３０ａと当接する当接面（以下、第一当接面という）２１４ａとして設定されている。第一当接面２１４ａは、第二当接面２３０ａと平行又は略平行に形成され且つ第二方向Ｘ（ロック部材２３の移動方向）に沿って延びた平面で構成される。従って、第一当接面２１４ａは、第一方向Ｙと交差する平面に形成されればよいが、本実施形態においては、第一方向Ｙと直交する平面に形成されている。このように、凹部２１３内に第一規制部２１４を設けることにより、第二方向Ｘにおける第一規制部２１４（第一当接面２１４ａ）の両側には何らの構成も存在しないようになっている。
【００３９】
ロック部材２３は、第二方向Ｘに長手をなすように形成されており、該第二方向Ｘに移動可能に設けられている。そして、本実施形態に係るロック部材２３は、第二方向Ｘ（長手方向）の一端部に外部から操作するための操作部２３１が形成されている。そして、ロック部材２３は、該操作部２３１を把持部本体２０に形成された穴（採番しない）を介して把持部本体２０の外面から外部に向けて突出させるように設けられている。
【００４０】
ここでロック部材２３について具体的に説明すると、ロック部材２３は、第二方向Ｘに延びる軸部２３２と、該軸部２３２の一端部に連設された前記操作部２３１と、軸部２３２に連設された第二規制部２３０とを備えている。前記軸部２３２は、筒状に形成に形成されており、一端が開口する一方、他端に前記操作部２３１が連設されている。そして、該軸部２３２には、当該ロック部材２３を第二方向Ｘに付勢するための付勢手段としてのコイルバネ２３３が内装されている。
【００４１】
そして、前記操作部２３１が第二方向Ｘに移動自在に嵌め込まれる把持部本体２０の穴は、非円形状に形成されており、これに対応して操作部２３１の外周も非円形状に形成されている。これにより、ロック部材２３（軸部２３２）が第二方向Ｘに延びる軸線周りで回転するのを防止できるようになっている。すなわち、把持部本体２０の穴と操作部２３１の外周とを非円形状に形成することで、ロック部材２３が第二方向Ｘに延びる軸線周りで回転しようとすると、把持部本体２０の穴を画定する内面と操作部２３１の外周とが干渉してその回転を阻止できるようになっている。これにより、第二規制部２３０の後述する第二当接面２３０ａがスイッチトリガー２１側に向いた状態で維持できるようになっている。
【００４２】
第二規制部２３０は、第一規制部２１４と同様に、板状に形成されており、第一方向Ｙに沿うように設けられている。そして、該第二規制部２３０は、軸部２３２の外周からスイッチトリガー２１に向けて延出しており、スイッチトリガー２１に向いた端面が第一当接面２１４ａと当接する当接面（以下、第二当接面という）２３０ａとして設定されている。第二当接面２３０ａは、第一当接面２１４ａと平行又は略平行に形成され且つ第二方向Ｘ（ロック部材２３の移動方向）に沿って延びた平面で構成される。従って、第二当接面２３０ａについても、第一当接面２１４ａと同様に、第一方向Ｙと交差する平面に形成されればよいが、本実施形態においては、第一方向Ｙと直交する平面に形成されている。これにより、第一規制部２１４及び第二規制部２３０が同列に並ぶことで第一当接面２１４ａと第二当接面２３０ａとが対向して当接可能な状態になり、また、第二方向Ｘにおける第二規制部２３０（第二当接面２３０ａ）の両側には何らの構成も存在しないようになっている。なお、本実施形態において、第一規制部２１４及び第二規制部２３０は、概ね同一の厚みの板状に形成され、第一当接面２１４ａ及び第二当接面２３０ａの第二方向Ｘにおける幅が概ね同寸になっている。
【００４３】
そして、ロック部材２３を第二方向Ｘに移動させるべく、把持部本体２０（ハウジングＨ）の内部には、ロック部材２３を第二方向Ｘに案内する案内部２００が設けられている。本実施形態に係る把持部本体２０を構成するハウジングＨは、上述の如く、二つの分割ハウジングＨａ，Ｈｂを組み合わせて形成されるため、操作部２３１を挿入するための穴が一方の分割ハウジングＨａに形成されるとともに、案内部２００が一方の分割ハウジングＨａの穴と略対向するように他方の分割ハウジングＨｂの内面に連設されている。
【００４４】
前記案内部２００は、把持部本体２０内部側（前記穴側）に向けて突出するように形成されており、ロック部材２３の軸部２３２内に挿入されるようになっている。これにより、ロック部材２３は、軸部２３２の内周面と案内部２００の外周面との摺接によって、第二方向Ｘに案内されつつ移動できるようになっている。そして、案内部２００の先端には、軸部２３２に内装されたコイルバネ２３３を外嵌して位置決めするための位置決凸部２０１が突出されている。該位置決凸部２０１は、案内部２００の先端よりも小径に設定されており、該位置決凸部２０１の周囲にある案内部２００の先端面でコイルバネ２３３の受け座を構成している。
【００４５】
本実施形態に係るロック部材２３は、常態（操作部２３１を外部に向けて最大に突出させた状態）でコイルバネ２３３の付勢によって把持部本体２０の穴側に押され、操作部２３１を穴から最大に突出させた状態になるようになっている。また、ロック部材２３は、スイッチトリガー２１が常態であるときに、第二規制部２３０が第一規制部２１４と同列になって位置決めされるようになっている。
【００４６】
そして、ロック部材２３はコイルバネ２３３で付勢されているため、常態において外部に脱落することを防止するための抜止片（図示しない）が設けられている。該抜止片は、把持部本体２０の内面に係止されることでロック部材２３の抜け止めするようになっており、該抜止片が把持部本体２０の内面に係止されることで、第一規制部２１４と第二規制部２３０とが同列になるようにロック部材２３が位置決めされるようになっている。これにより、該レシプロソーＴは、第一当接面２１４ａと第二当接面２３０ａとが当接することで、スイッチトリガー２１が把持部本体２０内に向けて移動するのを規制できる（オフロックできる）ようになっている。
【００４７】
上記構成のロック部材２３は、穴から突出した操作部２３１を把持部本体２０内に向けて押し操作することで、第二方向Ｘに移動するようになっている。これにより、第二規制部２３０も第一規制部２１４に対してずれた位置に変移し、第一規制部２１４の第一当接面２１４ａの前方に何らの構成が存在せず、また、第二規制部２３０の第二当接面２３０ａの前方にも何らの構成が存在しない状態となる結果、スイッチトリガー２１を把持部本体２０内に向けて引き込み操作できるようになっている。
【００４８】
そして、該レシプロソーＴは、図２に示す如く、把持部本体２０に直接的又は間接的に連設され、第一方向Ｙに延びて常態にあるスイッチトリガー２１と対向した対向部３０を備えている。本実施形態において、スイッチトリガー２１が把持部２と作動部３との境界に隣接し、前記壁面２１ａを作動部３側に向けて配置されているため、前記対向部３０は、把持部本体２０に連設された作動部３の一部として、スイッチトリガー２１の壁面２１ａに対向するように形成されている。すなわち、対向部３０は、作動部３を介して把持部本体２０に間接的に連設されている。なお、スイッチトリガー２１が把持部２の中程に形成される場合には、その配置に対応して対向部３０は把持部本体２０に直接連設されることになる。
【００４９】
前記対向部３０には、引き込み操作したスイッチトリガー２１と対応する位置に該スイッチトリガー２１側に突出した係止部３２が形成されている。本実施形態に係る係止部３２は、常態のスイッチトリガー２１の先端（操作体２２１の先端）の位置よりも把持部本体２０側に位置するように設けられている。すなわち、引き込み操作した（動力源を作動させた）状態でのスイッチトリガー２１の先端（先端の角部）に対応した位置に設けられている。これにより、スイッチトリガー２１を把持部本体２０内に向けて引き込み操作するとともに対向部３００側に傾動させた上で、該スイッチトリガー２１に把持部本体２０内からの付勢を作用させることで、スイッチトリガー２１の先端が係止部３２に押し付けられて係止されるようになっている。これにより、動力源を作動させた状態で維持できる（オンロックできる）ようになっている。
【００５０】
図１に戻り、前記作動部３は、動力源の回転を直線運動に変更するための作動機構（図示しない）と、作動機構に連結され、鋸刃Ｃが交換可能に取り付けられる鋸刃取付体３１と、作動機構を内装した作動カバー３３とを備えている。
【００５１】
作動機構は、前記回転軸１１を介して動力源の出力が入力される伝動歯車装置と、該伝動歯車装置の出力としての回転運動を直線往復動に変換する往復動機構とを備えている。そして、鋸刃取付体３１は、往復動機構に連結されており、該往復動機構の出力を受けてハウジングＨの長手方向と略同方向に往復動するようになっている。
【００５２】
前記作動カバー３３は、ハウジングＨの長手方向の他端部で構成されており、上述の如く、対向部３０が把持部２との境界に形成されている。該作動カバー３３は、鋸刃取付体３１を外側に位置させて作動機構のみをカバーしている。
【００５３】
本実施形態に係るレシプロソーＴは、以上の構成からなり、次に、かかるレシプロソーＴの作動について説明する。
【００５４】
本実施形態に係るレシプロソーＴは、図２、図３（ａ）及び図３（ｂ）に示す如く、常態において、スイッチトリガー２１の第一規制部２１４とロック部材２３の第二規制部２３０とが一列をなし、第一当接面２１４ａと第二当接面２３０ａとが対向した状態でロック部材２３が位置決めされるため、把持部本体２０を把持した作業者が不用意にスイッチトリガー２１を引き込み操作しようとする（スイッチトリガー２１を把持部本体２０内に向けて移動させようとする）と、第一当接面２１４ａと第二当接面２３０ａとの当接によって、スイッチトリガー２１が把持部本体２０内に移動できず、その結果、動力源が停止した状態で維持することになる。
【００５５】
そして、作業者が意図的にレシプロソーＴを作動させようとする場合には、図４（ａ）及び図４（ｂ）に示す如く、ロック部材２３の操作部２３１を第二方向Ｘで押し操作する。そうすると、第二規制部２３０が第二方向Ｘで移動し、第一規制部２１４に対して第二方向Ｘでずれた配置になり、スイッチトリガー２１が把持部本体２０内に向けて（第一方向Ｙで）移動可能な状態になる。
【００５６】
そして、図５（ａ）、図６（ａ）及び図６（ｂ）に示す如く、作業者がスイッチトリガー２１を引き込み操作すると、該スイッチトリガー２１にスイッチ２２の操作体２２１が押され、これまでＯＦＦ状態（電気回路が開状態）であった接点機構がＯＮ状態（電気回路が閉状態）になる。この状態で、第一規制部２１４は、第二規制部２３０と第二方向Ｘで重なり合った状態になるため、操作部２３１に対する押し操作を解除すると、コイルバネ２３３によるロック部材２３の付勢によって第二規制部２３０が第一規制部２１４に面接触した状態になる。
【００５７】
そして、上述の如く、接点機構がＯＮ状態（電気回路が閉状態）になると、動力源が作動し、該動力源からの出力が作動機構に伝達される。これにより、鋸刃取付部に取り付けられた鋸刃Ｃが直線往復動して被切断物の切断が可能となる。本実施形態に係るレシプロソーＴは、スイッチトリガー２１をオンロックできるため、オンロックした上で被切断物の切断作業が行われる。
【００５８】
ここで、スイッチトリガー２１をオンロックするには、図５（ｂ）に示す如く、スイッチトリガー２１を引き込み操作した状態で該スイッチトリガー２１を対向部３０に向けて傾動させる。本実施形態においては、スイッチトリガー２１の凹部２１３を画定する奥部の面にピボット２４１を当接させて傾動支点にしているため、支点（ピボット２４１）からスイッチトリガー２１（延出部２１１）の先端までの距離が短く、該支点を中心としたスイッチトリガー２１の先端の回転半径が小さいことから、スイッチトリガー２１を僅かに対向部３０に向けて押すだけで、該スイッチトリガー２１が傾動することになる。
【００５９】
そして、スイッチトリガー２１の引き込み操作を僅かに緩めると、把持部本体２０内からの付勢によってスイッチトリガー２１が外部に向けて押され、傾動することで係止部３２に対向したスイッチトリガー２１の先端（角部）が、該係止部３２に押し付けることになる。これにより、スイッチトリガー２１の先端部が係止部３２に係止された状態になり、スイッチ２２をＯＮ状態で維持させることのできる配置でスイッチトリガー２１が維持することになる。
【００６０】
そして、鋸刃Ｃの往復動（動力源の作動）を停止させるには、スイッチトリガー２１を対向部３０から離間させるように傾動させると、スイッチトリガー２１の先端が係止部３２から外れることになる。そうすると、スイッチトリガー２１は、把持部本体２０内からの付勢によって外部に向けて移動するのに合わせて、スイッチ２２がＯＦＦ状態になる。そして、スイッチトリガー２１が常態になると、第二規制部２３０に重なり合っていた第一規制部２１４が第一方向Ｙに移動して、その重なりが解除されるため、コイルバネ２３３によって付勢されているロック部材２３がその付勢によって第二方向Ｘに移動し、第一規制部２１４の第一当接面２１４ａと第二規制部２３０の第二当接面２３０ａとが対向した状態に戻ることになる。これにより、再度スイッチトリガー２１を引き込み操作できない状態に復帰することになる。
【００６１】
以上のように、本実施形態に係るレシプロソーＴは、ハウジングＨから外部に突出して把持部本体２０を横断する横方向Ｘに押し操作可能な操作部２３１が形成されるとともに、ハウジングＨ（把持部本体２０）内部で横方向Ｘに移動可能に設けられたロック部材２３を備え、ハウジングＨには、把持部本体２０から外部に突出したスイッチトリガー２１に対向する対向部３０が形成され、スイッチトリガー２１及びロック部材２３のそれぞれには、互いに対向して当接可能な平面状の当接面２１４ａ，２３０ａが形成され、スイッチトリガー２１は、対向部３０側に移動可能に設けられ、前記対向部３０には、引き込み操作されたスイッチトリガー２１に対応した位置にスイッチトリガー２１側に突出した係止部３２が形成されているので、不用意にスイッチトリガー２１のオフロックが解除されたりスイッチトリガー２１がオンロックされたりするのを抑制することができ、作業者の意思に応じて円滑且つ迅速にスイッチトリガー２１をオンロック及びオフロックすることができるという優れた効果を奏し得る。
【００６２】
また、前記ロック部材２３を横方向Ｘの一方向に付勢する付勢手段を更に備え、スイッチトリガー２１が常態であるときに、前記ロック部材２３が付勢手段によって付勢された状態で当接面２１４ａ，２３０ａ同士が当接可能な位置で位置決めされるように構成されているので、スイッチトリガー２１が把持部本体２０内に向けて移動された状態から常態に戻ったときに、スイッチトリガー２１の引き込み操作を規制した状態に自動的に戻すことができる。
【００６３】
そして、本実施形態に係るレシプロソーＴは、ハウジングＨに把持部本体２０から外部に突出したスイッチトリガー２１と対向する対向部３０が形成され、前記スイッチトリガー２１は、対向部３０側に傾動可能に設けられ、前記対向部３０には、スイッチトリガー２１側に突出した係止部３２が形成され、把持部本体２０内に向けて移動させたスイッチトリガー２１を対向部３０側に傾動させた状態で、該スイッチトリガー２１が係止部３２に係止されるように構成されているので、引き込み操作したスイッチトリガー２１全体を移動させることなく、オンロック状態にすることができる。
【００６４】
次に、本発明の参考例に係る手持ち式動力工具について説明する。なお、本参考例においても、上記実施形態と同様にレシプロソーを一例にして説明する。本参考例に係るレシプロソーは、上記実施形態のレシプロソーと基本構成が共通しているため、上記実施形態の構成と同様の構成又は相当する構成について、同一名称及び同一符号を付すこととし、上記実施形態と相違する点についてのみ説明し、同一の構成又は相当する構成については上記実施形態を参照して説明を割愛することとする。
【００６５】
本参考例に係るレシプロソーＴは、図７に示す如く、上記実施形態と同様に、動力源を有する駆動部１と、作業時に把持される把持部２と、動力源からの動力を受けて先端工具を動作させる作動部３とを備え、長手方向の一端から他端に向けて、駆動部１、把持部２、作動部３の順に配列されている。そして、駆動部１、把持部２、及び作動部３は、共通のハウジングＨで一体的に形成されている。
【００６６】
本参考例に係るレシプロソーＴは、動力源として電動モータが採用され、充電バッテリーから動力源に電力供給するようになっている。そのため、駆動部１には、バッテリー１５が着脱可能に装着されている。
【００６７】
本参考例に係る把持部２は、上記実施形態と同様に、駆動部１及び作動部３が直接的又は間接的に連結されるとともに作業者が把持可能に形成された把持部本体２０と、該把持部本体２０を縦断する縦方向（第一方向）Ｙに移動可能に構成されるとともに、常態で把持部本体２０内からの付勢によって該把持部本体２０の外面から外部に突出した状態を維持するように構成されたスイッチトリガー２１とを備えている。
【００６８】
本参考例に係るスイッチトリガー２１は、上記実施形態とは異なり、スイッチ２２の操作体２２１に対して固定されて傾動不能となっている。そして、本参考例に係るスイッチトリガー２１もトリガー本体２１０と延出部２１１とで構成されているが、本参考例において、作動部３側に向く壁面２１ａに凹部２１３ａが形成されている。すなわち、トリガー本体２１０と延出部２１１とに跨るように凹部２１３ａが形成されている。そして、該凹部２１３ａ内に板状の第一規制部２１４が設けられている。
【００６９】
該第一規制部２１４は、第一方向Ｙに沿うように配置されており、凹部２１３ａを画定するスイッチトリガー２１（延出部２１１）の先端側の内面と奥部の面に接続されている。これにより、第一規制部２１４の第二方向Ｘにおける両側が何も存在しない状態になっている。また、スイッチトリガー２１の先端側に第一規制部２１４を設けることで、凹部２１３ａ内に第一規制部２１４よりもスイッチトリガー２１の基端側に、ロック部材２３の第二規制部２３０を介在させるための空間を形成している。そして、第一規制部２１４の把持部本体２０内に向く端面が第一当接面２１４ａに設定されている。本参考例においても、第一当接面２１４ａは第一方向Ｙと直交するように形成されている。
【００７０】
そして、本参考例に係るレシプロソーＴについても、把持部本体２０を横断する横方向（第二方向）Ｘに移動可能なロック部材２３を備えている。本参考例のロック部材２３についても、第一規制部２１４（第一当接面２１４ａ）と当接可能な当接面（第二当接面２３０ａ）が形成された第二規制部２３０を備えている。本参考例に係るレシプロソーＴは、スイッチトリガー２１の第一規制部２１４が作動部３側に開口した凹部２１３ａ内に設けられるとともに、スイッチトリガー２１の先端側に位置して設けられるため、第二規制部２３０が第一規制部２１４に対してスイッチトリガー２１の基端（把持部本体２０内）側に位置するように設けられている。そして、第二規制部２３０は、板状に形成されて第一方向Ｙに沿うように配設されており、図８（ａ）及び図８（ｂ）に示す如く、当該第二規制部２３０の第二方向Ｘにおける両側が何も存在しない状態になっている。第二規制部２３０は、第一規制部２１４（第一当接面２１４ａ）と対向する端面が第二当接面２３０ａとして設定されている。該第二当接面２３０ａは、第一当接面２１４ａと同様に、第一方向Ｙと直交する平面で構成されている（図７参照）。
【００７１】
本参考例に係るロック部材２３は、第二規制部２３０を上述のような配置とするため、第二規制部２３０を除いてハウジングＨ（作動部３）内に設けられている。
【００７２】
ここで本参考例に係るロック部材２３について、具体的に説明すると、該ロック部材２３は、第一方向Ｙ及び第二方向Ｘと交差（本参考例においては直交）する方向（以下、第三方向という）Ｚに延びてハウジングＨ（作動カバー３３）内で第一方向Ｙに伸びる軸線周りで回転するロック部材本体２３４と、該ロック部材本体２３４の先端に連設され、ハウジングＨ（作動カバー３３）からスイッチトリガー２１の凹部２１３内に延出した前記第二規制部２３０とを備えている。そして、本参考例に係るロック部材２３は、ロック部材本体２３４の第二方向Ｘの両端に外方に突出した一対の操作部２３１，２３１を備えており、ハウジングＨ（作動カバー３３）に形成された穴（採番しない）から両操作部２３１，２３１を外側に突出させて設けられている。これにより、何れか一方の操作部２３１，２３１を第二方向Ｘに押し操作することで、ロック部材本体２３４が第一方向Ｙに延びる軸線周りで回転（傾動）し、これに伴って第二規制部２３０が第一方向Ｙと交差する第二方向Ｘに移動できるようになっている。
【００７３】
そして、本参考例に係るロック部材２３においても、バネの付勢によって第二規制部２３０が第一規制部２１４と一列になる姿勢に復帰するようになっているが、本参考例においては、ロック部材本体２３４を第三方向Ｚに付勢することで復帰できるようになっている。なお、本参考例においては、ロック部材本体２３４の延びる方向、及びロック部材本体２３４を付勢する方向として、互いに直交した二軸Ｘ，Ｙ（第一方向Ｙ及び第二方向Ｘ）に対して直交する第三方向Ｚを設定しているため、把持部本体２０の形状によって、第三方向Ｚは必ずしも把持部本体２０の把持中心線の延びる方向と一致しないが、例えば、把持中心線が第一方向Ｙと非直角状態で交差するように把持部本体２０が形成され、第三方向Ｚを第一方向Ｙに対して非直角状態で交差する方向に設定する場合には、第三方向Ｚは、把持部本体２０の把持中心線の延びる方向と一致する場合もある。
【００７４】
具体的には、本参考例のロック部材２３は、第一方向Ｙに延びる軸２３６がロック部材本体２３４の基端部に第一方向Ｙに延びるように設けられるとともに、ロック部材本体２３４の基端部の両端に第二方向Ｘに延びる一対の片２３５，２３５が設けられている。これに対し、作動カバー３３内には、ロック部材本体２３４（ロック部材本体２３４に設けられた軸２３６）を基端側に向けて付勢するコイルバネ２３３’が設けられるとともに、該ロック部材本体２３４が基端側に向けて付勢された状態で各片２３５，２３５が当接可能な一対の片当接部３１０，３１０が設けられている。また、作動部３には、ロック部材２３の軸２３６を遊嵌する穴（図示しない）が第三方向Ｚに延びる長穴状に形成されている。
【００７５】
次に、上記構成を備えたレシプロソーＴの作動について説明すると、本参考例に係るロック部材２３は、一対の片２３５，２３５の間に位置する軸２３６体がコイルバネ２３３’によって付勢されているため、スイッチトリガー２１が常態である（ＯＦＦ状態である）ときに、一対の片２３５，２３５のそれぞれと片当接部３１０，３１０との当接によって、第二規制部２３０の第二当接面２３０ａが第一規制部２１４の第一当接面２１４ａと対向して当接可能な状態に位置決めされる。
【００７６】
従って、把持部本体２０を把持した作業者が不用意にスイッチトリガー２１を引き込み操作しようとする（スイッチトリガー２１を把持部本体２０内に向けて移動させようとする）と、第一当接面２１４ａと第二当接面２３０ａとの当接によって、スイッチトリガー２１が把持部本体２０内に移動できず、その結果、動力源が停止した状態で維持することになる。
【００７７】
そして、作業者が意図的にレシプロソーＴを作動させようとする場合には、図９（ａ）及び図９（ｂ）に示す如く、ロック部材２３の操作部２３１，２３１を第二方向Ｘで押し操作する。そうすると、押し操作された操作部２３１，２３１と反対側に延出した片２３５が片当接部３１０に当接する一方、押し操作した操作部２３１，２３１と同じ方向に延出した片２３５が片当接部３１０から離間した状態になり、ロック部材本体２３４の先端に連設された第二規制部２３０が第二方向Ｘに移動する。
【００７８】
すなわち、本参考例に係るロック部材２３は、操作部２３１，２３１を押し操作することで片２３５と片当接部３１０との当接部位が支点となって第二方向Ｘに移動し、第一規制部２１４に対して第二規制部２３０が第二方向Ｘでずれた配置になる。従って、本参考例においても、ロック部材２３を第二方向Ｘに移動させることで、スイッチトリガー２１を把持部本体２０内に向けて引き込み操作できる状態となる。
【００７９】
そして、作業者がスイッチトリガー２１を引き込み操作すると、該スイッチトリガー２１にスイッチ２２の操作体２２１が押され、これまでＯＦＦ状態（電気回路が開状態）であった接点機構がＯＮ状態（電気回路が閉状態）になる。
【００８０】
この状態で、第一規制部２１４が第二規制部２３０と第二方向Ｘで重なり合い、また、ロック部材２３が一対の片２３５，２３５の間に位置する軸２３６体がコイルバネ２３３’によって付勢されているため、一方の片２３５が片当接部３１０に当接して支点となった状態で、他方の片２３５を片当接部３１０に向けて接近させようとする力が作用する。従って、操作部２３１，２３１に対する押し操作を解除すると、第一規制部２１４及び第二規制部２３０とが面接触した状態になる。
【００８１】
そして、上述の如く、接点機構がＯＮ状態（電気回路が閉状態）になると、動力源が作動し、該動力源からの出力が作動機構に伝達される。これにより、鋸刃取付部に取り付けられた鋸刃Ｃが直線往復動して被切断物の切断が可能となる。
【００８２】
そして、鋸刃Ｃの往復動（動力源の作動）を停止させるには、スイッチトリガー２１に対する引き込み操作を解除することで、該スイッチトリガー２１が把持部本体２０内からの付勢によって外部に向けて移動するのに合わせて、スイッチ２２がＯＦＦ状態になる。そして、スイッチトリガー２１が常態になると、第二規制部２３０に重なり合っていた第一規制部２１４が第一方向Ｙに移動して、その重なりが解除されるため、上述した他方の片２３５を片当接部３１０に向けて接近させようとする力の作用でロック部材２３が第二方向Ｘに移動し、第一規制部２１４の第一当接面２１４ａと第二規制部２３０の第二当接面２３０ａとが対向した状態に戻ることになる。これにより、再度スイッチトリガー２１を引き込み操作できない状態に復帰することになる。
【００８３】
以上のように、本参考例に係るレシプロソーＴは、ハウジングＨから外部に突出して把持部本体２０を横断する横方向Ｘに押し操作可能な操作部２３１が形成されるとともに、ハウジングＨ（把持部本体２０）内部で横方向Ｘに移動可能に設けられたロック部材２３を備え、スイッチトリガー２１及びロック部材２３のそれぞれには、互いに対向して当接可能な平面状の当接面２１４ａ，２３０ａが形成されているので、操作部２３１の突出量を抑えることができ、不用意にスイッチトリガー２１のオフロックが解除されるのを抑制することができる。
【００８４】
また、前記ロック部材２３を付勢するとともに当接面２１４ａ，２３０ａ同士が当接可能な位置で位置決めするようにしているので、スイッチトリガー２１が把持部本体２０内に向けて移動された状態から常態に戻ったときに、スイッチトリガー２１の引き込み操作を規制した状態に自動的に戻すことができる。
【００８５】
尚、本発明の手持ち式動力工具は、上記実施形態に限定されるものではなく、本発明の要旨を逸脱しない範囲内において種々変更を加え得ることは勿論である。
【００８６】
上記実施形態において、手持ち式動力工具の一例としてレシプロソーＴについて説明したが、これに限定されるものではなく、例えば、グラインダー、ドリル、丸鋸、チェーンソー等の手持ち式動力工具であってもよい。すなわち、作業者が把持する把持部２に動力源を作動させるためのスイッチトリガー２１を備えたものであればよい。
【００８７】
上記実施形態において、動力源として電動モータを採用したが、これに限定されるものではなく、例えば、動力源にエアーモータや油圧モータ等を採用したものであってもよい。このように作動流体を用いるものを動力源とする場合、スイッチトリガー２１に操作されるスイッチ２２には、流路の開閉を行う弁機構を備えたスイッチ２２、或いは、弁機構の開閉を電気的に操作するための電源スイッチ２２等が採用されることになるが、何れの場合であっても、引き込み操作されるスイッチトリガー２１に押される操作体２２１を備え、その操作体２２１に対する直接的又は間接的な押し操作によって動力源を作動させるものが採用されることは言うまでもない。
【００８８】
上記実施形態において、スイッチトリガー２１に対する把持部本体２０内からの付勢をスイッチ２２のバネ作用で与えるようにしたが、これに限定されるものではなく、例えば、スイッチ２２とは別に付勢手段を設けてこれによってスイッチトリガー２１を付勢するようにしてもよい。
【００８９】
上記実施形態において、単一のハウジングＨで駆動部１、把持部２、及び作動部３の外観を一体的に構成したが、これに限定されるものではなく、例えば、作動部３（作動カバー３３）と把持部２（把持部本体２０）とを一体的に構成し、これに駆動部１（動力カバー１０）を連結して一つのハウジングＨとしたり、駆動部１（動力カバー１０）、把持部２（把持部本体２０）及び作動部３（作動カバー３３）をそれぞれ独立した構成とし、それらを連結して一つのハウジングＨにしたりするようにしてもよい。また、駆動部１、把持部２、及び作動部３の配列は、上記実施形態に限定されるものではなく、適宜変更可能である。さらに、駆動部１は、動力カバー１０に動力源を内装したものに限定されず、例えば、動力源（モータ）自体が駆動部１全体を構成したものであってもよい。
【００９０】
上記実施形態において、第一規制部２１４及び第二規制部２３０のそれぞれを板状に形成したが、これに限定されるものではなく、例えば、各規制部２１４，２３０を幅のあるブロック状に形成したり、何れか一方を板状に形成し、他方をブロック状に形成したりしてもよい。すなわち、第一当接面２１４ａと第二当接面２３０ａとが平面状に形成されるとともに、第一方向Ｙで対向して当接可能となれば、各規制部２１４，２３０の形態は変更可能である。但し、各規制部２１４，２３０（第一当接面２１４ａ及び第二当接面２３０ａ）の第二方向Ｘの幅が大きすぎると、相手方の規制部２１４，２３０の移動を許容するためのロック部材２３の第二方向Ｘへの移動量が大きくなるので、上記実施形態のように、操作部２３１の突出量を考慮して各規制部２１４，２３０を板状に形成することが好ましい。
【００９１】
上記実施形態において、操作部２３１をロック部材２３の一端部のみに形成し、これを把持部本体２０の穴から外部に突出させるようにしたが、これに限定されるものではなく、例えば、ロック部材２３の両端部に操作部２３１，２３１を設け、各操作部２３１，２３１を対称的に把持部本体２０の穴から外部に突出さるようにしてもよい。このようにすれば、何れの操作部２３１，２３１を第二方向Ｘに押し操作しても、スイッチトリガー２１を押し操作できるようになる。
【００９２】
この場合、ハウジングＨ内にロック部材２３の軸部２３２を挿通する穴を設けることで、ロック部材２３を第二方向Ｘに案内できる状態にすることができる。また、該ロック部材２３に対して各操作部２３１，２３１側から軸部２３２中央に向けて付勢する付勢手段を一対設けることで、第一規制部２１４と第二規制部２３０とが同列になる状態に復帰させることもできる。これに対し、参考例において、操作部２３１，２３１を一対設けたが、これに限定されるものではなく、上記実施形態のように操作部２３１，２３１を一つ設けるようにしてもよい。このようにしても、ロック部材２３を第二方向Ｘに移動させることができることは当然である。
【００９３】
上記実施形態において、ロック部材２３を把持部本体２０内に設けたが、例えば、参考例と同様に作動部３（作動カバー３３）内に設けてもよい。また、上記参考例において、ロック部材２３を作動部３（作動カバー３３）内に設けたが、この形態のロック部材２３は、上記実施形態と同様に把持部２（把持部本体２０）内に設けてもよい。すなわち、第一規制部２１４と第二規制部２３０とが第一方向Ｙで対向でき、且つ、第二方向Ｘに移動可能であれば、ロック部材２３のその他の構成は何れに配置されてもよい。
【００９４】
上記実施形態において、スイッチトリガー２１を把持部本体２０側にある基端側を支点にして対向部３０側に傾動可能に設け、把持部本体２０内に向けて移動させたスイッチトリガー２１を対向部３０側に傾動させることで、スイッチトリガー２１の先端側が基端側よりも対向部３０側に移動し、該先端側が係止部３２に係止されるように構成したが、これに限定されるものではなく、例えば、前記スイッチトリガー２１を対向部３０側に移動可能（スライド可能）に設け、把持部本体２０内に向けて移動させたスイッチトリガー２１を対向部３０側に移動（スライド）させた状態で、該スイッチトリガー２１が係止部３２に係止されるように構成してもよい。このようにスイッチトリガー２１を移動可能とするには、例えば、傾動支点部材２４に代えてスイッチトリガー２１の凹部２１３の奥部の面を第一方向Ｙと直交する方向で案内可能に構成した案内部材を操作体２２１の先端部に取り付けるようにしてもよい。
【００９５】
また、上記参考例において、スイッチトリガー２１を傾動（移動）不能に構成したが、例えば、上記実施形態と同様にスイッチトリガー２１を傾動可能或いはスライド可能に構成するとともに、スイッチトリガー２１と対向する対向部３０に係止部３２を設け、スイッチトリガー２１をオンロックできるようすれば、上記実施形態と同様の作用及び効果を奏するものにすることができる。すなわち、上記実施形態において、ロック部材２３を軸状に形成し、第二方向Ｘに延びる軸線方向に移動可能に構成したが、ロック部材２３は、これに限定されるものではなく、上記参考例のロック部材２３を適用してもよい。但し、この場合においては、上記実施形態における対向部３０に相当する箇所からロック部材２３が第二規制部２３０をスイッチトリガー２１に向けて延出させているため、スイッチトリガー２１を対向部３０に向けて傾動又はスライドさせたときに、第二規制部２３０がスイッチトリガー２１と干渉しないように凹部２１３ａの深さを設定することは勿論のことである。
【００９６】
また、上記参考例において、スイッチトリガー２１をオフロックさせるための構成を独立して設けたが、別の参考例として、スイッチトリガー２１をオンロックさせることのみが要求される場合には、スイッチトリガー２１をオンロックするための構成のみを動力工具に搭載してもよい。すなわち、上記実施形態で説明したスイッチトリガー２１をオフロックさせる構成とオンロックさせる構成は、機能的にそれぞれ独立したものであるため、オフロックさせる構成或いはオンロックさせる構成の何れか一つを独立して動力工具に適用することができる。従って、オフロック又はオンロックの何れか一方のみが要求される場合には、オフロックさせる構成或いはオンロックさせる構成の何れか一つを動力工具に搭載すればよい。
【図面の簡単な説明】
【００９７】
【図１】本発明の一実施形態に係る手持ち式動力工具（レシプロソー）の側面図を示す。
【図２】図１のＡ部の拡大縦断面図であって、スイッチトリガーがオフロックされた状態を示す。
【図３】同実施形態に係るレシプロソーの部分断面図であって、（ａ）は、図２のＩ−Ｉ断面を示し、（ｂ）は、図２のＩＩ−ＩＩ断面を示す。
【図４】同実施形態に係るレシプロソーのロックバーを第二方向に移動させた状態の部分断面図であって、（ａ）は、図２のＩ−Ｉ断面に対応する断面図を示し、（ｂ）は、図２のＩＩ−ＩＩ断面に対応する断面を示す。
【図５】同実施形態に係るレシプロソーの部分拡大図であって、（ａ）は、スイッチトリガーを引き込み操作した状態の図１のＡ部に対応する拡大縦断面図を示し、（ｂ）は、スイッチトリガーをオンロックした状態の図１のＡ部に対応する拡大縦断面図を示す。
【図６】同実施形態に係るレシプロソーのスイッチトリガーを引き込み操作した状態の部分断面図であって、（ａ）は、図２のＩ−Ｉ断面に対応する断面図を示し、（ｂ）は、図２のＩＩ−ＩＩ断面に対応する断面を示す。
【図７】本発明の参考例に係る手持ち式動力工具（レシプロソー）の断面図を示す。
【図８】参考例に係るレシプロソーの部分断面図であって、（ａ）は、図７のＩＩＩ−ＩＩＩ断面を示し、（ｂ）は、図７のＩＶ−ＩＶ断面を示す。
【図９】参考例に係るレシプロソーのロックバーを第二方向に移動させた状態の部分断面図であって、（ａ）は、図７のＩＩＩ−ＩＩＩ断面に対応する断面図を示し、（ｂ）は、図７のＩＶ−ＩＶ断面に対応する断面を示す。
【図１０】従来の手持ち式動力工具の説明図であって、（ａ）は、把持部本体の部分断面図を示し、（ｂ）は、スイッチトリガーの引き込み操作を規制した状態における（ａ）のＶ−Ｖ断面を示し、（ｃ）は、スイッチトリガーの引き込み操作した状態における（ａ）のＶ−Ｖ断面を示す。
【符号の説明】
【００９８】
１…駆動部、２…把持部、３…作動部、１０…動力カバー、１１…回転軸、１５…バッテリー、２０…把持部本体、２１…スイッチトリガー、２１ａ…壁面、２２…スイッチ（電源スイッチ）、２３…ロック部材、２４…傾動支点部材、３０…対向部、３１…鋸刃取付体、３２…係止部、３３…作動カバー、２００…案内部、２０１…位置決凸部、２１０…トリガー本体、２１０ａ…第一面、２１０ｂ…第二面、２１１…延出部、２１２…抜止体、２１３…凹部、２１３ａ…凹部、２１４…第一規制部（規制部）、２１４ａ…第一当接面、２２０…スイッチ本体、２２１…操作体、２３０…第二規制部（規制部）、２３０ａ…第二当接面、２３１…操作部、２３２…軸部、２３３，２３３’…コイルバネ、２３４…ロック部材本体、２３５…片、２３６…軸、２４０…部材本体、２４１…ピボット、３１０…片当接部、Ｃ…鋸刃、Ｈ…ハウジング、Ｈａ，Ｈｂ…分割ハウジング、Ｔ…レシプロソー（手持ち式動力工具）、Ｘ…第二方向（横方向）、Ｙ…第一方向（縦方向）、Ｚ…第三方向
【図１】
0005352112.tif 000002
【図２】
0005352112.tif 000003
【図３】
0005352112.tif 000004
【図４】
0005352112.tif 000005
【図５】
0005352112.tif 000006
【図６】
0005352112.tif 000007
【図７】
0005352112.tif 000008
【図８】
0005352112.tif 000009
【図９】
0005352112.tif 000010
【図１０】
0005352112.tif 000011